(57)【要約】【課題】従来のスプリング等のバネ素材、ウレタン、ゴム等の素材を用いた技術では劣化が早く、耐久性に問題がある。また廃棄時には膨大な量のゴミを発生させている。特にウレタン、ゴム素材は発砲加工された石油製品であり不燃物として膨大な量がそのまま埋め立てられている。また、従来の磁気浮上座部にあっては、それぞれ磁石を５ヶずつ設置した上下別々の座板を固定する際、左右、前後に動こうとする磁石の反発力を制御することが出来なかった。そのため磁石の反発力としての上下の動きをコントロールできず製造方法に多くの問題があった。【解決手段】上記の問題点を解決するために、本発明は上下座部にガイドを設置することにより、磁石の反発力を正確にコントロールする事が可能である。【選択図】　　　図１
2004105669.tif 000002
【特許請求の範囲】
【請求項１】
磁石固定ガイド（１ａ）に、磁石（２ａ）を取り付け、上部磁石制御ガイド（４）を設置し、磁石の形状に加工したスプリング等のバネ素材、ウレタン、ゴム等の素材（３）を敷き、それをはさむように上に磁石（２ｂ）を設置した、椅子並びにベンチ、ソファー、スツール
【請求項２】
磁石同士が前後左右に動いてしまうことを防ぎ、同時に磁石を正確に固定することが出来る請求項１記載のガイド。
【請求項３】
椅子の背部に１ヶないし複数の磁石を配置し、磁力の反発力をクッション性に応用した椅子並びにベンチ、ソファー。
【請求項４】
上下座部の固定と、制御に、１組みないし複数組みのパイプを用いた請求項２記載のガイド。
【請求項５】
上下座部の四隅にはめ込み式の機構を設置した請求項２記載のガイド。
【請求項６】
上下座部を紐状の素材で結び、前後左右の動きを制御した請求項２記載のガイド。
【請求項７】
座部を視覚的に宙に浮いたものに出来る請求項１記載の椅子並びにベンチ、ソファー、スツール。
【請求項８】
上下磁石の間にスプリング等のバネ素材、ウレタン、ゴム等クッション性のある素材を挟み、磁石同士が直接ぶつかる事を防ぎ、座り心地を良くする。
【発明の詳細な説明】
【０００１】
【発明の属する技術分野】本発明は椅子、ベンチ、スツールの座部に１組または複数組の磁石による反発力を用い、座部のクッション性に応用したものであり、座部に磁石を設置する際の製造方法、仕組み機能に関する。
【０００２】
【従来の技術】従来の椅子の座部にクッション性を持たせる技術としてはスプリング等のバネ素材、ウレタン、ゴム等の素材が用いられてきたが、劣化が早く、耐久性に問題があった。また、従来の磁気浮上座部においては、上下別々の座板にそれぞれ磁石を５ヶずつ設置し、周囲のガイド、固定なしに椅子の座部に設置し、クッション性を持たせている。
（例えば、登録実用新案第３０８０６９７号参照）
【０００３】
【発明が解決しようとする課題】従来のスプリング等のバネ素材、ウレタン、ゴム等の素材を用いた技術では劣化が早く、耐久性に問題がある。また廃棄時には膨大な量のゴミを発生させている。特にウレタン、ゴム素材は発砲加工された石油製品であり不燃物として膨大な量がそのまま埋め立てられている。
また、従来の磁気浮上座部にあっては、それぞれ磁石を５ヶずつ設置した上下別々の座板を固定する際、左右、前後に動こうとする磁石の反発力を制御することが出来なかった。そのため磁石の反発力としての上下の動きをコントロールできず製造方法に多くの問題があった。
【０００４】
【課題を解決するための手段】上記の問題点を解決するために、本発明は上下座部にガイドを設置することにより、磁石の反発力を正確にコントロールする事が可能である。
【０００５】
【発明の実施の形態】本発明は椅子ないしベンチ、スツールの座部または背部の緩和剤に磁石の反発力を用い、反発力をコントロールするためのガイドを設けたものである。また、上下組みとなる磁石同士が直接ぶつかることを防ぐため、間にスプリング等のバネ素材、ウレタン、ゴム等の素材を挟み込む。
【０００６】設置する磁石は重量に耐えうる反発力を持つものを用いる。磁石の設置は組となる磁石が正確に対面するように設置する。また磁石を組みとする場合、Ｓ極同士、またはＮ極同士が対面するように設置する。
【０００７】ガイドは磁石の周囲を取り囲むように設置する。ガイドは上下左右の磁石の動きをコントロールするために必要である。ガイドの素材は、木材、金属、セラミックス、プラスチック、ＦＲＰ等形状維持に好ましいものを用いる。
【０００８】上下組として磁石を設置する際、磁石同士が直接ぶつかる事を防ぐ為、間にスプリング等のバネ素材、ウレタン、ゴム等の素材を挟み込み緩和剤とする。
【０００９】
【実施例】実施例について図面を参照して説明すると、図１において、磁石固定ガイド（１ａ）に、磁石（２ａ）を取り付ける。次に上部磁石制御ガイド（４）を設置し、さらに上下磁石同士がぶつかることを防止するため、磁石の形状に加工したスプリング等のバネ素材、ウレタン、ゴム等の素材（３）を敷き、それをはさむようにして上に磁石（２ｂ）を設置する。磁石（２ａ　２ｂ）はＳ極同士またはＮ極同士を組として、反発力を発するように設置する。磁石（２ａ）は磁石（２ｂ）を反発力で浮かす構造となり、それを座のクッション性に応用する。また下部磁石固定ガイド（１ａ）、上部磁石制御ガイド（４）が上下左右の磁石の動きをコントロールしている。
【００１０】図２は図１で示した構成部、断面の拡大図である。Ｓ極同士またはＮ極同士を組として、反発力を発するように設置している。また、磁石（２ａ　２ｂ）の間にクッション素材としてスプリング等のバネ素材、ウレタン、ゴム等の素材（３）を挟み込むことにより磁石同士のぶつかりを緩和し、座り心地の向上を実現している。
【００１１】図３は上記の構成を発展させたものである。磁石固定ガイド（１ａ１ｂ）それぞれに磁石をＳ極同士またはＮ極同士を組として、反発力を発するように設置する。そして磁石固定ガイド（１ａ　１ｂ）を４の倍数で８等分以上の箇所の割合で紐状の素材を用いて結ぶ（図４参照）。この紐状の素材同士の作用により、上下左右の磁石の動きをコントロール出来る。紐状の素材同士の作用をガイドに応用したものである。
【００１２】図５は上下座部の四隅にガイドとなる構成を用い、磁石の前後左右の動きのコントロールを可能にしたものである。下部磁石固定ガイド（１ａ）の四隅にはガイド部メス（６ｂ）を垂直に設置する。そして上部磁石固定ガイド（１ｂ）の四隅にはガイド部オス（６ａ）を水平に設置する。ガイド部オス（６ａ）、メス（６ｂ）がスムーズにスライドするよう、メス（６ｂ）にはオス（６ａ）に合わせた凹部を形成しオス（６ａ）もメス（６ｂ）に合わせた凸部を形成する。このガイド部オス（６ａ）、メス（６ｂ）の素材は、木材、金属、セラミックス、プラスチック、ＦＲＰ等形状維持に好ましいものを用いる。
図６はこの機構の拡大図を示している。
【００１３】図７は内径の異なるパイプの組み合わせを用いて、ガイドに応用したものである。脚部ベース（７）にパイプガイド部メス（８ｂ）を垂直に設置する。そしてパイプガイド部メス（８ｂ）の内径に合わせた磁石（２ａ）を固定されたパイプガイド内部に入れる。次に同じくパイプガイド部メス（８ｂ）の内径に合わせたパイプガイド部オス（８ａ）を座部の底に垂直に設置する。またそのパイプガイド部（８ａ）の最下部先端には磁石（２ｂ）を取り付ける。そしてパイプガイド部オス（８ａ）をパイプガイド部メス（８ｂ）に上下にスライドするように差し込む。磁石（２ａ　２ｂ）は互いに反発するようにＳ極同士またはＮ極同士を組として設置する。パイプガイド部（８ａ　８ｂ）の素材は、木材、金属、セラミックス、プラスチック、ＦＲＰ等形状維持に好ましいものを用いる。この構成は油圧式シリンダー、油圧式ダンパー等の作用を磁石の反発力を用いて実現したものである。また、互いの磁石（２ａ２ｂ）の間にスプリング等のバネ素材、ウレタン、ゴム等の素材を挟み込み、磁石同士のぶつかりを緩和し、座り心地をより向上させることもできる。
図８はこの機構の拡大図を示している。
【００１４】図９は図７の機構を複数用い、椅子の座部に設置したものである。
【００１５】図１０は前方の一辺を固定し、後部に動きを限定させた実施例である。磁石固定ガイド（１ａ　１ｂ）それぞれに磁石（２ａ　２ｂ）を設置し、反発力を発生させる。前方の一辺を固定し、ガイドすることにより、磁石固定ガイド（１ａ　１ｂ）の動きをコントロールする事ができる。
この前方の固定したガイドは図１１に示すようにパイプ駆動部内側（９ａ）と、パイプ駆動部外側（９ｂ）の組み合わせで構成されている。
パイプ駆動部内側（９ａ）、パイプ駆動部外側（９ｂ）の素材には木材、金属、セラミックス、プラスチック、ＦＲＰ等形状維持に好ましいものを用いる。
【００１６】図１２は図７で示した機構を複数用いた実施例である。磁石（２ａ２ｂ）はパイプ内部ではなく、磁石固定ガイド（１ａ　１ｂ）に設置をする。図１３で示したパイプガイド部オス（８ａ）、パイプガイド部メス（８ｂ）の組み合わせによりガイドの機能を持たせている。
【００１７】図１４は図１で示した機構を背部に設置した実施例である。磁石（２ｂ）の落下を防止するため、伸縮性を持つウェービング素材（１０）を用い固定する。
【００１８】図１６は図１２で示した機構を椅子、ベンチの背部に用いたものである。
【００１９】図１７は図１０で示した機構を椅子、ベンチの背部に用いたものである。
【００２０】図１８は円形の座部に磁石を設置した各実施例を示す図である。
磁石（２）は配置する場所によって異なる形態をとっている。
【００２１】図１９は四角形の座部に磁石を設置した各実施例を示す図である。磁石（２）は配置する場所によって異なる形態をとっている。
【００２２】図２０は三角形の座部に磁石を設置した各実施例を示す図である。磁石（２）は配置する場所によって異なる形態をとっている。
【００２３】図２１は星形の座部に磁石を設置した各実施例を示す図である。
磁石（２）は配置する場所によって異なる形態をとっている。
【００２４】
【発明の効果】各種ガイドの発明により、これまで制作時に問題だった磁石の前後左右の動きをコントロールする事が可能になる。よって実用化に対し、格段な進歩を遂げることが出来る。
【００２５】磁石の反発力を用いた椅子のクッション性は半永久的な耐久性を実現でき、同時に従来クッション素材として用いられてきた、ウレタン、ゴム素材廃棄によるゴミ問題を解決できる。また、このクッション性は経年劣化がないため、特に外食産業の店舗等過酷な使用に耐えうることが出来る。
【００２６】これまでにない磁石の反発力を用いた各種椅子の発明は、デザイン的な可能性を広げることが出来る。
【００２７】互いの磁石の間にスプリング等のバネ素材、ウレタン、ゴム等の素材を挟み込み、磁石同士のぶつかりを緩和する事により、座り心地の向上が実現出来る。
【図面の簡単な説明】
【図１】座部に磁石を組として設置した実施例を示す図である。
【図２】図１で示した断面の拡大図である。
【図３】紐を用い、視覚的に宙に浮かした実施例を示す図である。
【図４】図３における紐の設置例を示す図である。
【図５】四隅にガイドを設置した実施例を示す図である。
【図６】図５で示したガイド部断面の拡大図である。
【図７】脚部にガイドと磁石を設置した実施例を示す図である。
【図８】図７の断面図と拡大図である。
【図９】図７で示した機構を複数用いた実施例を示す図である。
【図１０】前方の一辺を固定し、後部に動きを限定させた実施例を示す
【図１１】図１０で示した各断面図である。
【図１２】パイプ状のガイドを４ヶ所設置した実施例を示す図である。
【図１３】図１２で示したガイド部分の拡大図と断面図である。
【図１４】図１で示した機構を背部に設置した実施例を示す図である。
【図１５】図１４で示した機構の断面図である。
【図１６】図１２で示した機構の断面図である。
【図１７】図１０で示した機構の断面図である。
【図１８】円形の座部に磁石を設置した各実施例を示す図である。
【図１９】四角形の座部に磁石を設置した各実施例を示す図である。
【図２０】三角形の座部に磁石を設置した各実施例を示す図である。
【図２１】星形の座部に磁石を設置した各実施例を示す図である。
【符号の説明】
１ａ　下部磁石固定ガイド
１ｂ　上部磁石固定ガイド
２，２ａ，２ｂ　磁石
３　　ウレタン、ゴム素材
４　　上部磁石制御ガイド
５　　紐状の素材
６ａ　ガイド部（オス）
６ｂ　ガイド部（メス）
７　　脚部ベース
８ａ　パイプガイド部（オス）
８ｂ　パイプガイド部（メス）
９ａ　パイプ駆動部（内側）
９ｂ　パイプ駆動部（外側）
１０　伸縮性を持つウェービングテープ素材
ＡＢＣＤＥＦＧＨ　紐状の素材の連結基点
【図１】
2004105669.tif 000003
【図２】
2004105669.tif 000004
【図３】
2004105669.tif 000005
【図４】
2004105669.tif 000006
【図５】
2004105669.tif 000007
【図６】
2004105669.tif 000008
【図７】
2004105669.tif 000009
【図８】
2004105669.tif 000010
【図９】
2004105669.tif 000011
【図１０】
2004105669.tif 000012
【図１１】
2004105669.tif 000013
【図１２】
2004105669.tif 000014
【図１３】
2004105669.tif 000015
【図１４】
2004105669.tif 000016
【図１５】
2004105669.tif 000017
【図１６】
2004105669.tif 000018
【図１７】
2004105669.tif 000019
【図１８】
2004105669.tif 000020
【図１９】
2004105669.tif 000021
【図２０】
2004105669.tif 000022
【図２１】
2004105669.tif 000023